(57)【要約】      （修正有）【課題】近位に位置する組織停止特徴部を有する外科用結紮クリップを提供する。【解決手段】外科用結紮クリップ１０は、近位端でリビングヒンジ２６によって互いに接続された第１の顎部１２および第２の顎部１４を含む。顎部の各々は、他方の顎部のクランプ面に対向するクランプ面２０、４４を含む。身体血管が第１の顎部および第２の顎部のクランプ面を越えて近位に移動することを防止するために、組織停止部が、外科用結紮クリップのクランプ面の近位端に形成される。実施形態では、組織停止部は、第１の顎部のクランプ面の近位端から第２の顎部に向かって延在する第１の停止部材と、第２の顎部材のクランプ面の近位端から第１の顎部に向かって延在する第２の停止部材とを含む。【選択図】図１
2019098170.tif 000002
【特許請求の範囲】
【請求項１】
外科用結紮クリップであって、
遠位端、近位端、および第１のクランプ面を有する第１の顎部と、
遠位端、近位端、および第２のクランプ面を有する第２の顎部であって、前記第２のクランプ面は前記第１のクランプ面に対向している、第２の顎部と、
前記第１の顎部の前記近位端を前記第２の顎部の前記近位端に旋回可能に連結するリビングヒンジであって、前記第１の顎部および前記第２の顎部は非クランプ位置とクランプ位置との間で互いに対して移動可能である、リビングヒンジと、
前記外科用結紮クリップ上に支持された組織停止部であって、前記組織停止部は、前記第１の顎部および前記第２の顎部が前記非クランプ位置にあるとき、組織が前記第１のクランプ面および前記第２のクランプ面の近位の前記第１の顎部と前記第２の顎部との間に配置されることを防止するように配置されている、組織停止部とを備える、外科用結紮クリップ。
【請求項２】
前記組織停止部は、前記第１の顎部上に支持された第１の停止部材を含み、前記第１の停止部材は、前記第１のクランプ面の近位端から前記第２の顎部に向かって延在する、請求項１に記載の外科用結紮クリップ。
【請求項３】
前記組織停止部は、第２の停止部材を含み、前記第２の停止部材は、前記第２の顎部の前記第２のクランプ面の近位端から前記第１の顎部に向かって延在する、請求項２に記載の外科用結紮クリップ。
【請求項４】
前記第１の停止部材は、前記第１の顎部および前記第２の顎部が前記非クランプ位置から前記クランプ位置に互いに対して移動されるとき前記第２の停止部材に摺動可能に係合するように配置されている、請求項３に記載の外科用結紮クリップ。
【請求項５】
前記第１の顎部は、第１のロック要素を含み、前記第２の顎部材は、第２のロック要素を含み、前記第１のロック要素は、前記第１の顎部および前記第２の顎部を前記クランプ位置に保持するように前記第２のロック要素と係合するように移動可能である、請求項１に記載の外科用結紮クリップ。
【請求項６】
前記第１の顎部の前記遠位端は、ヘッド部を含み、前記ヘッド部は、前記第１のロック要素を支持する、請求項５に記載の外科用結紮クリップ。
【請求項７】
前記ヘッド部は、組織を貫通するように構成された尖った先端部を含む、請求項５に記載の外科用結紮クリップ。
【請求項８】
前記第１の顎部および前記第２の顎部の各々は、一対のボスを含み、前記一対のボスの各々は、前記外科用結紮クリップを組織に適用するようにアプリケータと係合するように構成されている、請求項１に記載の外科用結紮クリップ。
【請求項９】
前記一対のボスの各々は、前記第１の顎部および前記第２の顎部の一方の外面を越えて外向きに突出する、請求項１に記載の外科用結紮クリップ。
【請求項１０】
前記第１の顎部および前記第２の顎部の前記クランプ面は、滑り止め構造を含む、請求項１に記載の外科用結紮クリップ。
【請求項１１】
前記第１のクランプ面の前記滑り止め構造は、三角形の凸部を含み、前記三角形の凸部は、前記クランプ面の両側に沿って離間配置され、隣接する凸部から軸方向にオフセットされている、請求項１に記載の外科用結紮クリップ。
【請求項１２】
前記三角形の凸部は、前記第１の顎部の前記第１のクランプ面の少なくとも一部分に沿って延在する中央に位置するＶ字形状の凹部を画成する、請求項１１に記載の外科用結紮クリップ。
【請求項１３】
前記第２の顎は、前記第２の顎部の長さの少なくとも一部分に沿って配置された中央に位置する三角形の凸部を含み、前記中央に位置する三角形の凸部は、前記第１の顎部の前記凸部によって画成される前記中央に位置するＶ字形状の凹部内に受容されるように配置されている、請求項１２に記載の外科用結紮クリップ。
【請求項１４】
前記外科用結紮クリップは、生体適合性ポリマー材料から形成されている、請求項１に記載の外科用結紮クリップ。
【請求項１５】
前記生体適合性ポリマー材料は、アセタールポリオキシメチレン（ＰＯＭ）、ポリエチレンテレフタレート（ＰＥＴ）、ポリブチレンテレフタレート（ＰＢＴ）、ポリオキシメチレン、ポリエーテルエーテルケトン（ＰＥＥＫ）、ポリプロピレン、およびポリエチレンからなる群から選択される、請求項１４に記載の外科用結紮クリップ。
【請求項１６】
前記外科用結紮クリップは、金属、プラスチック、および複合材料からなる群から選択される生体適合性材料から形成されている、請求項１に記載の外科用結紮クリップ。
【発明の詳細な説明】
【技術分野】
【０００１】
関連出願の相互参照
本出願は、２０１７年１１月２８日に出願された米国仮特許出願第６２／５９１，７２１の利益および優先権を主張し、その開示全体が参照により本明細書に組み込まれる。
背景
【０００２】
本開示は、外科用結紮クリップに関し、より具体的には、近位に位置する組織停止特徴部を有する外科用結紮クリップに関する。
【背景技術】
【０００３】
外科用結紮クリップは、例えば、虫垂切除、胆嚢摘出術、腎摘出、および脾臓摘出を含む腹腔鏡手術中に身体血管を封止するために一般に使用される。これらの外科用結紮クリップは、典型的には、生体適合性かつ非吸収性の非導電性ポリマーから形成され、クランプ面を有し、リビングヒンジによって近位端で互いに接合される一対の顎部を含む。顎部は、非クランプ位置からクランプ位置に、リビングヒンジを中心として互いに対して移動可能である。クランプ位置では、顎部のクランプ面は、組織によって画成される管腔を封止するために顎部の間に配置された組織を圧縮するように配置されている。
【０００４】
既知の外科用結紮クリップでは、リビングヒンジは、顎部がクランプ位置にあるとき組織を完全に圧縮するように構成されていない、顎部の近位端の薄肉領域を画成する。このように、組織が顎部のクランプ面の近位のリビングヒンジの領域内に配置されるとき、組織は完全に圧縮されないことがある。したがって、外科用結紮クリップが組織の周りで締め付けられるとき、組織によって画成される管腔を通って流体が流れ続けることがある。
【０００５】
外科分野では、改善された結紮特性を有する外科用結紮クリップに対する持続的なニーズが存在する。
【発明の概要】
【課題を解決するための手段】
【０００６】
本開示の一態様は、遠位端、近位端、および第１のクランプ面を有する第１の顎部と、遠位端、近位端、および第２のクランプ面を有する第２の顎部とを含む外科用結紮クリップに関する。第２の顎部の第２のクランプ面は、第１の顎部の第１のクランプ面に対向している。リビングヒンジは、第１の顎部の近位端を第２の顎部の近位端に旋回可能に連結するように設けられる。第１の顎部および第２の顎部は、非クランプ位置とクランプ位置との間で互いに対して移動可能である。組織停止部が、外科用結紮クリップ上に支持され、第１の顎部および第２の顎部が非クランプ位置にあるとき組織が第１のクランプ面および第２のクランプ面を越えて第１の顎部と第２の顎部との間で近位に移動することを防止するように、配置されている。
【０００７】
いくつかの実施形態では、組織停止部は、第１のクランプ面の近位端から第２の顎部に向かって延在する、第１の顎部上に支持された第１の停止部材を含む。
【０００８】
特定の実施形態では、組織停止部は、第２の顎部の第２のクランプ面の近位端から第１の顎部に向かって延在する第２の停止部材を含む。
【０００９】
実施形態では、第１の停止部材は、第１の顎部および第２の顎部が非クランプ位置からクランプ位置に互いに対して移動されるとき第２の停止部材に摺動可能に係合するように配置されている。
【００１０】
いくつかの実施形態では、第１の顎部は、第１のロック要素を含み、第２の顎部材は、第２のロック要素を含み、第１のロック要素は、第１の顎部および第２の顎部をクランプ位置に保持するように第２のロック要素と係合するように移動可能である。
【００１１】
特定の実施形態では、第１の顎部の遠位端は、第１のロック要素を支持するヘッド部を含む。
【００１２】
実施形態では、ヘッド部は、組織を貫通するように構成された尖った先端部を含む。
【００１３】
いくつかの実施形態では、第１の顎部および第２の顎部の各々は、一対のボスを含み、一対のボスの各々は、外科用結紮クリップを組織に適用するようにアプリケータと係合するように構成されている。
【００１４】
特定の実施形態では、一対のボスの各々は、第１の顎部および第２の顎部の一方の外面を越えて外向きに突出する。
【００１５】
実施形態では、第１の顎部および第２の顎部のクランプ面は、滑り止め構造を含む。
【００１６】
いくつかの実施形態では、第１のクランプ面の滑り止め構造は、クランプ面の両側に沿って離間配置され隣接する凸部から軸方向にオフセットされている、三角形の凸部を含む。
【００１７】
特定の実施形態では、三角形の凸部は、第１の顎部の第１のクランプ面の少なくとも一部分に沿って延在する中央に位置するＶ字形状の凹部を画成する。
【００１８】
いくつかの実施形態では、第２の顎は、第２の顎部の長さの少なくとも一部分に沿って配置された中央に位置する三角形の凸部を含み、中央の三角形の凸部は、第１の顎部の凸部によって画成される中央に位置するＶ字形状の凹部内に受容されるように配置されている。
【００１９】
いくつかの実施形態では、外科用結紮クリップは、生体適合性ポリマー材料から形成される。
【００２０】
特定の実施形態では、生体適合性ポリマー材料は、アセタールポリオキシメチレン（ＰＯＭ）、ポリエチレンテレフタレート（ＰＥＴ）、ポリブチレンテレフタレート（ＰＢＴ）、ポリオキシメチレン、ポリエーテルエーテルケトン（ＰＥＥＫ）、ポリプロピレン、およびポリエチレンからなる群から選択される。
【００２１】
実施形態では、外科用結紮クリップは、金属、プラスチック、および複合材料からなる群から選択される生体適合性材料から形成される。
本発明は、例えば、以下の項目を提供する。
（項目１）
外科用結紮クリップであって、
遠位端、近位端、および第１のクランプ面を有する第１の顎部と、
遠位端、近位端、および第２のクランプ面を有する第２の顎部であって、前記第２のクランプ面は前記第１のクランプ面に対向している、第２の顎部と、
前記第１の顎部の前記近位端を前記第２の顎部の前記近位端に旋回可能に連結するリビングヒンジであって、前記第１の顎部および前記第２の顎部は非クランプ位置とクランプ位置との間で互いに対して移動可能である、リビングヒンジと、
前記外科用結紮クリップ上に支持された組織停止部であって、前記組織停止部は、前記第１の顎部および前記第２の顎部が前記非クランプ位置にあるとき、組織が前記第１のクランプ面および前記第２のクランプ面の近位の前記第１の顎部と前記第２の顎部との間に配置されることを防止するように配置されている、組織停止部とを備える、外科用結紮クリップ。
（項目２）
前記組織停止部は、前記第１の顎部上に支持された第１の停止部材を含み、前記第１の停止部材は、前記第１のクランプ面の近位端から前記第２の顎部に向かって延在する、上記項目に記載の外科用結紮クリップ。
（項目３）
前記組織停止部は、第２の停止部材を含み、前記第２の停止部材は、前記第２の顎部の前記第２のクランプ面の近位端から前記第１の顎部に向かって延在する、上記項目のいずれか一項に記載の外科用結紮クリップ。
（項目４）
前記第１の停止部材は、前記第１の顎部および前記第２の顎部が前記非クランプ位置から前記クランプ位置に互いに対して移動されるとき前記第２の停止部材に摺動可能に係合するように配置されている、上記項目のいずれか一項に記載の外科用結紮クリップ。
（項目５）
前記第１の顎部は、第１のロック要素を含み、前記第２の顎部材は、第２のロック要素を含み、前記第１のロック要素は、前記第１の顎部および前記第２の顎部を前記クランプ位置に保持するように前記第２のロック要素と係合するように移動可能である、上記項目のいずれか一項に記載の外科用結紮クリップ。
（項目６）
前記第１の顎部の前記遠位端は、ヘッド部を含み、前記ヘッド部は、前記第１のロック要素を支持する、上記項目のいずれか一項に記載の外科用結紮クリップ。
（項目７）
前記ヘッド部は、組織を貫通するように構成された尖った先端部を含む、上記項目のいずれか一項に記載の外科用結紮クリップ。
（項目８）
前記第１の顎部および前記第２の顎部の各々は、一対のボスを含み、前記一対のボスの各々は、前記外科用結紮クリップを組織に適用するようにアプリケータと係合するように構成されている、上記項目のいずれか一項に記載の外科用結紮クリップ。
（項目９）
前記一対のボスの各々は、前記第１の顎部および前記第２の顎部の一方の外面を越えて外向きに突出する、上記項目のいずれか一項に記載の外科用結紮クリップ。
（項目１０）
前記第１の顎部および前記第２の顎部の前記クランプ面は、滑り止め構造を含む、上記項目のいずれか一項に記載の外科用結紮クリップ。
（項目１１）
前記第１のクランプ面の前記滑り止め構造は、三角形の凸部を含み、前記三角形の凸部は、前記クランプ面の両側に沿って離間配置され、隣接する凸部から軸方向にオフセットされている、上記項目のいずれか一項に記載の外科用結紮クリップ。
（項目１２）
前記三角形の凸部は、前記第１の顎部の前記第１のクランプ面の少なくとも一部分に沿って延在する中央に位置するＶ字形状の凹部を画成する、上記項目のいずれか一項に記載の外科用結紮クリップ。
（項目１３）
前記第２の顎は、前記第２の顎部の長さの少なくとも一部分に沿って配置された中央に位置する三角形の凸部を含み、前記中央に位置する三角形の凸部は、前記第１の顎部の前記凸部によって画成される前記中央に位置するＶ字形状の凹部内に受容されるように配置されている、上記項目のいずれか一項に記載の外科用結紮クリップ。
（項目１４）
前記外科用結紮クリップは、生体適合性ポリマー材料から形成されている、上記項目のいずれか一項に記載の外科用結紮クリップ。
（項目１５）
前記生体適合性ポリマー材料は、アセタールポリオキシメチレン（ＰＯＭ）、ポリエチレンテレフタレート（ＰＥＴ）、ポリブチレンテレフタレート（ＰＢＴ）、ポリオキシメチレン、ポリエーテルエーテルケトン（ＰＥＥＫ）、ポリプロピレン、およびポリエチレンからなる群から選択される、上記項目のいずれか一項に記載の外科用結紮クリップ。
（項目１６）
前記外科用結紮クリップは、金属、プラスチック、および複合材料からなる群から選択される生体適合性材料から形成されている、上記項目のいずれか一項に記載の外科用結紮クリップ。
（摘要）
外科用結紮クリップは、近位端でリビングヒンジによって互いに接続された第１の顎部および第２の顎部を含む。顎部の各々は、他方の顎部のクランプ面に対向するクランプ面を含む。身体血管が第１の顎部および第２の顎部のクランプ面を越えて近位に移動することを防止するために、組織停止部が、外科用結紮クリップのクランプ面の近位端に形成される。実施形態では、組織停止部は、第１の顎部のクランプ面の近位端から第２の顎部に向かって延在する第１の停止部材と、第２の顎部材のクランプ面の近位端から第１の顎部に向かって延在する第２の停止部材とを含む。
【図面の簡単な説明】
【００２２】
本開示の外科用結紮クリップの様々な実施形態を、図面を参照しながら以下に説明する。
【００２３】
【図１】非クランプ位置にある本開示の外科用結紮クリップの例示的な実施形態の側部斜視図である。
【図２】図１に示される表示された細部領域の拡大図である。
【図３】クランプ位置にある図１に示される本開示の外科用結紮クリップの側部斜視図である。
【図４】図３に示される表示された詳細領域の拡大図である。
【図５】非クランプ位置にある図１に示される外科用結紮クリップと、外科用結紮クリップの第１の顎部と第２の顎部との間に配置された身体血管との側面図である。
【図６】身体の周りでクランプ位置にある、図１に示される外科用結紮クリップの側面図である。
【図７】図３に示される表示された詳細領域の拡大図である。
【発明を実施するための形態】
【００２４】
これより本開示の外科用結紮クリップを、図面を参照しながら詳細に説明する。図面において、同様の参照番号は、いくつかの図の各々において同一または対応する要素を指す。しかしながら、開示される実施形態は本開示の単なる例示であり、様々な形態で具体化され得ることが理解されるべきである。既知の機能または構造体は、不必要な詳細で本開示を曖昧にすることを避けるために、詳細には記載されない。したがって、本明細書に開示される特定の構造的および機能的詳細は、限定的であるとして解釈されるべきではなく、単に特許請求の範囲の基礎として、かつ本開示を事実上任意の適切に詳細な構造で様々に用いるように当業者に教示するための代表的な基礎として解釈されるべきである。
【００２５】
この説明では、「近位」という用語は、一般に装置の臨床家により近い部分を指すために使用され、「遠位」という用語は、一般に装置の臨床家からより遠い部分を指すために使用される。さらに、「臨床家」という用語は、一般に医師、看護師、およびサポート要員を含む医療従事者を指すために使用される。
【００２６】
本開示の外科用結紮クリップは、近位端でリビングヒンジによって互いに接続された第１の顎部および第２の顎部を含む。顎部の各々は、他方の顎部のクランプ面に対向するクランプ面を含む。第１の顎部および第２の顎部は、第１の顎部と第２の顎部との間に配置された身体血管の管腔を封止するように非クランプ位置とクランプ位置との間で互いに対して移動可能である。身体血管が第１の顎部および第２の顎部のクランプ面を越えて近位に移動することを防止するために、組織停止部が、外科用結紮クリップのクランプ面の近位端に形成される。実施形態では、組織停止部は、第１の顎部のクランプ面の近位端から第２の顎部に向かって延在する第１の停止部材と、第２の顎部材のクランプ面の近位端から第１の顎部に向かって延在する第２の停止部材とを含む。
【００２７】
図１を参照すると、本開示の外科用結紮クリップの例示的な実施形態が全体として１０として示されており、第１の顎部１２および第２の顎部１４を含む。第１の顎部１２は、近位端１６、遠位端１８、およびクランプ面２０を含む。第１の顎部１２の近位端１６は、リビングヒンジ２６を画成するように、第２の顎部１４の薄肉領域２４に接続されている薄肉領域２２を含む。リビングヒンジ２６は、非クランプ位置（図１）とクランプ位置（図３）との間で第１の顎部１２および第２の顎部１４の互いに対する移動を容易にするために、第１の顎部１２を第２の顎部１２に接続する。
【００２８】
第１の顎部１２の遠位端１８は、ヘッド部３２と、クランプ面２０の遠位に配置された平坦部３３とを含む。実施形態では、ヘッド部３２は、組織が第１の顎部１２と第２の顎部１４との間で締め付けられるとき組織を貫通するように構成された鋭利なおよび／または尖った先縁部３４を含む。ヘッド部３２はまた、さらに詳細に後述する第１のロック要素３６を含む。
【００２９】
第２の顎部１４は、近位端４０、遠位端４２、およびクランプ面４４を含む。上述したように、第２の顎部１４の近位端４０は、リビングヒンジ２６を形成する薄肉領域２４を含む。第２の顎部１４の遠位端４２は、第２のロック要素４６を含む。実施形態では、第２のロック要素４６は、第１の顎部１２および第２の顎部１４をクランプ位置（図３）に締着するために、第１の顎部１２の第１のロック要素３６に解放可能に係合するように構成されている。実施形態では、第１の顎部１２の第１のロック要素３６は、第１の顎部１２および第２の顎部１４をクランプ位置に締着するために、第２の顎部１４の第２のロック要素４６上の歯５２と係合するように配置および構成された歯５０を含む。
【００３０】
第２の顎部１４の遠位端４２は、第２のロック要素４６を支持し、クランプ面４４の遠位に配置された平坦部４７と、離間配置された支柱部５４とを含む。平坦部４７は、第１の顎部１２および第２の顎部１４がクランプ位置（図３）にあるとき、第１の顎部１２の平坦部３３と係合するように配置されている。離間配置された支柱部５４は、第２のロック要素４６の両側に配置され、第１の顎部１２のヘッド部３２を第２の顎部１４の第２のロック要素４６に向かって方向付けるように配置されている。ロック要素４６の遠位壁は、支柱部５４間に配置されたカム面６０を画成する。カム面６０は、クランプ面４４から遠位方向に外向きに、第２の顎部１４の外面６２に向かって下向きに、湾曲している。カム面６０は、ロック要素３６を遠位方向に変形させるように第１の顎部１２が第２の顎部１４の支柱部５４間で移動されるとき第１の顎部１２のロック要素３６と係合するように構成されている。ロック要素３６がカム面６０から外れると、弾性材料で形成されるロック要素３６は、第１のロック要素３６の歯５０が第２のロック要素４６の歯５２と係合するように、内向きにパチンと動く。
【００３１】
第１の顎部１４および第２の顎部１６のそれぞれは、顎部１２、１４の各側に配置されたボス７０を含む。ボス７０は、第１の顎部１２および第２の顎部１４の遠位端１８、４２にそれぞれ位置付けられ、顎部１２，１４の外面を越えて外向きに突出する。ボス７０は、外科用クリップ１０を組織に適用するためにアプリケータ（図示せず）の顎部に係合するように配置および構成されている。
【００３２】
実施形態では、第１の顎部１２および第２の顎部１４のクランプ面２０、４４は、それぞれ、改善された結紮を提供するように構成されている。いくつかの実施形態では、第１の顎部１２および第２の顎部１４のクランプ面２０、４４は、歯、リブ、隆起部、チャネル、山形凸部または凹部などの滑り止め凹部または凸部を含む。特定の実施形態では、第１の顎部１２のクランプ面２０は、クランプ面２０の両側に沿って離間配置され、隣接する凸部７１から軸方向にオフセットされた三角形の凸部７１を含む。凸部７１は、第１の顎部１２のクランプ面２０の長さの少なくとも一部分に沿って延在するＶ字形状の凹部７２を画成する。
【００３３】
実施形態では、第２の顎部１４は、第２の顎部１４の長さの少なくとも一部分に沿って配置された三角形の凸部７４を含む。三角形の凸部７４は、第１の顎部１２の凸部７１によって画成されるＶ字形状の凹部７２内に受容されるように配置されている。三角形の凸部７４は、一連の段差面７４ａによって画成されてもよい。同様に、Ｖ字形状の凹部７２は、三角形の凸部７１の段差壁によって画成されてもよい。あるいは、他の滑り止め面が第１のクランプ面２０およびまたは第２のクランプ面４４上に形成されてもよいことが想定されている。
【００３４】
図２〜図４を参照すると、外科用結紮クリップ１０は、組織停止部８０を含む。実施形態では、組織停止部８０は、第１の停止部材８２および第２の停止部材８４を含む。第１の停止部材８２は、第１の顎部１２のクランプ面２０の近位端に、薄肉領域２２の遠位に配置され、第２の停止部材８４は、第２の顎部１４のクランプ面４４の近位端に、薄肉領域２４の遠位に配置される。第１の停止部材８２は、第１の顎部１２のクランプ面２０の近位端から第２の顎部１４に向かって下向きに延在する。同様に、停止部材８４は、第２の顎部１４のクランプ面４４の近位端から第１の顎部１２に向かって上向きに延在する。実施形態では、第１の停止部材８２は、第１の顎部１２および第２の顎部１４が非クランプ位置（図１）とクランプ位置（図３）との間で旋回されるとき第２の停止部材８４に摺動可能に係合するように配置されている。第１の停止部材８２および第２の停止部材８４は、第１の顎部１２および第２の顎部１４が非クランプ位置（図２）にあるときおよびクランプ位置（図３）にあるとき、組織が第１の顎部１２と第２の顎部１４との間で第１の顎部１２および第２の顎部１４のクランプ面２０、４４を越えて近位に進むことを防止するような寸法である。組織停止部８０の第１の停止部材８２は、第２の停止部材８４の遠位に配置されるように示されているが、停止部材８２、８４の位置を逆転させることができることも想定されている。
【００３５】
図５および６を参照すると、外科用結紮クリップ１０が身体血管「ＢＶ」を締め付けるために使用されるとき、身体血管「ＢＶ」は、第１の顎部１２および第２の顎部１４のクランプ面２０、４４間に配置され、第１の顎部１２は、第１の顎部１２および第２の顎部１４を非クランプ位置（図５）からクランプ位置（図６）に移動させるために、第２の顎部１４に対して図６の矢印「Ａ」によって示される方向に移動される。第１の顎部１２が第２の顎部１４に向かって旋回されると、第１の顎部材１２のヘッド部３２は、第１の顎部１２の先縁部３４が第２の顎部材１４のカム面６０に係合しそれに沿って移動するように、第２の顎部１４の離間配置された支柱部５４の間を前進する。第１の顎部材１２のヘッド部３２がカム面６０に沿って支柱部５４の間を移動するにつれて、ヘッド部３２は、ヘッド部３２がカム面６０から外れるまで遠位方向に外向きに付勢される。ヘッド部３２が第２の顎部材１４のカム面６０から外れるとき、第１の顎部１２の第１のロック要素３６は、身体血管の周りでクランプ位置に外科用結紮クリップ１０を締着するように、第２の顎部１４上の第２のロック要素４６とパチンと係合する。
【００３６】
図７に示すように、身体血管「ＢＶ」が第１の顎部１２および第２の顎部１４のそれぞれのクランプ面２０、４４の近位端から外れて近位に移動することを防止するように身体血管「ＢＶ」が第１の顎部１２と第２の顎部１４との間で圧縮されるとき、組織停止部８０は、身体血管「ＢＶ」に係合するように配置されている。第１の顎部１２および第２の顎部１４のクランプ面２０、４４間の位置に身体血管「ＢＶ」を保持することは、外科用結紮クリップ１０の顎部１２、１４がクランプ位置にあるとき、身体血管「ＢＶ」によって画成される管腔「Ｌ」が封止されない可能性を低減する。
【００３７】
実施形態では、外科用結紮クリップ１０は、生体吸収性ポリマー材料から構成されてもよい。好適な生体吸収性ポリマーの例としては、アセタールポリオキシメチレン（ＰＯＭ）、ポリエチレンテレフタレート（ＰＥＴ）、ポリブチレンテレフタレート（ＰＢＴ）、ポリオキシメチレン、ポリエーテルエーテルケトン（ＰＥＥＫ）、ポリプロピレン、およびポリエチレン、または射出成形することができる同様の特性を有する他の熱可塑性材料が挙げられる。クリップはまた、放射線透過性金属合金と組み合わせたポリマー材料から構成されてもよい。あるいは、生体適合性金属、プラスチック、および複合材を含む他の材料が、クリップ１０を形成するために使用されてもよい。実施形態では、選択される材料は弾性である。
【００３８】
当業者は、本明細書で具体的に説明され、添付図面に例示された装置および方法が非限定的な例示的実施形態であることを理解するであろう。ある例示的な実施形態に関連して例示または記載されている要素および特徴は、本開示の範囲から逸脱することなく、別の要素および特徴と組み合わせられ得ることが想定されている。同様に、当業者であれば、上述の実施形態に基づく本開示のさらなる特徴および利点を理解するであろう。したがって、本開示は、添付の特許請求の範囲によって示される場合を除いて、具体的に示され記載されているものによって限定されるものではない。
【図１】
2019098170.tif 000003
【図２】
2019098170.tif 000004
【図３】
2019098170.tif 000005
【図４】
2019098170.tif 000006
【図５】
2019098170.tif 000007
【図６】
2019098170.tif 000008
【図７】
2019098170.tif 000009